(57)【要約】【課題】スケール抑制剤のメンテナンスの必要性を適切に判断してスケールの堆積を予防する給湯装置を提供すること。【解決手段】貯湯槽５７から入水管路６４を介して送られた水を加熱する加熱装置５５と、水を加熱装置５５に圧送する循環ポンプ６３と、加熱装置５５で加熱された水を貯湯槽５７へ導入する出湯管路６５と、加熱装置５５に圧送される水に、スケール抑制剤６７を添加するスケール抑制装置６８と、スケール抑制装置６８を流れる水の流量を検出する流量検出装置７３と、スケール抑制装置６８のメンテナンスの必要性を判断する制御装置７０と、メンテナンスの必要性を表示する報知装置７２と、を備え、制御装置７０は、流量検出装置７３で検出された流量に基づき、スケール抑制装置６８のメンテナンスの必要性を判断するので、適切な時期にスケール抑制装置６８のメンテナンスを行ってスケールの堆積を予防することができる。【選択図】図１
2014200696.tif 000002
【特許請求の範囲】
【請求項１】
湯を貯える貯湯槽と、
前記貯湯槽の下部から入水管路を介して送られた水を加熱する加熱装置と、
前記入水管路に配設され、前記貯湯槽の下部の水を前記加熱装置に圧送する循環ポンプと、
前記加熱装置で加熱された水を前記貯湯槽の上部へと導入する出湯管路と、
前記加熱装置に圧送される水に、スケールの生成を抑制するスケール抑制剤を添加するスケール抑制装置と、
前記スケール抑制装置を流れる水の流量を検出する流量検出装置と、
前記スケール抑制装置のメンテナンスの必要性を判断する制御装置と、
前記スケール抑制装置のメンテナンスの必要性を表示する報知装置と、を備え、
前記制御装置は、前記流量検出装置で検出された流量に基づいて、前記スケール抑制装置のメンテナンスの必要性を判断することを特徴とする給湯装置。
【請求項２】
前記制御装置は、前記スケール抑制装置を流れる水の流量が異なる複数の運転を実行するとともに、
前記制御装置は、複数の前記運転のうち、前記流量が大きい運転を実行した場合の方が、前記流量が小さい運転を実行した場合よりも、短い前記循環ポンプの運転時間で、前記スケール抑制装置のメンテナンスが必要であると判断することを特徴とする、請求項１に記載の給湯装置。
【請求項３】
前記入水管路の一部を迂回するバイパス回路と、
前記入水管路を流れる水の流量と前記バイパス回路を流れる水の流量との比率を変更する流量調節装置と、を備え、
前記スケール抑制装置は、前記バイパス回路に配設され、
前記制御装置は、前記バイパス回路に流れる流量が大きい場合の方が、前記バイパス回路に流れる流量が小さい場合よりも、短い前記循環ポンプの運転時間で、前記スケール抑制装置のメンテナンスが必要であると判断することを特徴とする、請求項１または２に記載の給湯装置。
【請求項４】
前記スケール抑制剤は、ポリリン酸塩を主成分とすることを特徴とする請求項１〜３のいずれか１項に記載の給湯装置。
【発明の詳細な説明】
【技術分野】
【０００１】
本発明は、スケール抑制装置を備えた給湯装置に関するものである。
【背景技術】
【０００２】
従来、この種の給湯装置として、貯湯槽に溜めた高温の湯を用いて給湯を行うものがある（例えば、特許文献１参照）。
【０００３】
図１５は、特許文献１に記載された従来の給湯装置を示すものである。図１５に示すように、この給湯装置は、ガスクーラ（給湯熱交換器）１を有するヒートポンプユニット２と、ガスクーラ１において加熱された湯水が貯留される貯湯タンク３を有する貯湯ユニット４と、を備えている。
【０００４】
また、ヒートポンプユニット２の冷媒循環路は、圧縮機５、ガスクーラ１、膨張弁（減圧装置）６、蒸発器７が冷媒配管で環状に接続されて構成されている。また、水回路は、循環ポンプ８、ガスクーラ１、貯湯槽３が水配管で環状に接続されて構成されている。
【０００５】
この給湯装置は、ガスクーラ１において、圧縮機５によって圧縮された高温高圧のガス冷媒と貯湯槽３に蓄えられた水とを熱交換させて湯を生成する。
【０００６】
また、この給湯装置は、貯湯槽３からガスクーラ１に至るまでの水循環路に、添加器（スケール抑制装置）９を備えている。添加器９は、スケールの生成を抑制する抑制剤を、ガスクーラ１に流入する水へと供給する。この構成によって、添加器９の内部に水が流れることで、ガスクーラ１に流入する前の水に添加剤が添加される。よって、水回路におけるスケールの生成が抑制されるので、水回路がスケールによって閉塞されることを防ぐことができる。
【０００７】
また、特許文献１には、循環ポンプ８の回転数が所定値以上になったときに、添加剤の交換を報知する構成が開示されている。
【先行技術文献】
【特許文献】
【０００８】
【特許文献１】特開２０１１−６９５７２号公報
【発明の概要】
【発明が解決しようとする課題】
【０００９】
しかしながら、前記従来の技術では、循環ポンプの回転数が所定値以上になった場合に、添加剤の交換を報知するものである。よって、添加剤の交換を報知する時点で、すでにスケール抑制剤が減少または枯渇して、スケールが堆積している場合がある。これにより、ガスクーラ１での熱交換効率が大きく低下してしまうという課題を有していた。
【００１０】
本発明は前記従来の課題を解決するもので、適切な時期にスケール抑制剤のメンテナンスの必要性を判断してスケールの堆積を予防することが可能な給湯装置を提供することを目的とする。
【課題を解決するための手段】
【００１１】
前記従来の課題を解決するために、本発明の給湯装置は、湯を貯える貯湯槽と、前記貯湯槽の下部から入水管路を介して送られた水を加熱する加熱装置と、前記入水管路に配設
され、前記貯湯槽の下部の水を前記加熱装置に圧送する循環ポンプと、前記加熱装置で加熱された水を前記貯湯槽の上部へと導入する出湯管路と、前記加熱装置に圧送される水に、スケールの生成を抑制するスケール抑制剤を添加するスケール抑制装置と、前記スケール抑制装置を流れる水の流量を検出する流量検出装置と、前記スケール抑制装置のメンテナンスの必要性を判断する制御装置と、前記スケール抑制装置のメンテナンスの必要性を表示する報知装置と、を備え、前記制御装置は、前記流量検出装置で検出された流量に基づいて、前記スケール抑制装置のメンテナンスの必要性を判断することを特徴とするものである。
【００１２】
これにより、スケール抑制剤の減少および枯渇を推定して、適切な時期にスケール抑制剤のメンテナンスの必要性を判断することができる。
【発明の効果】
【００１３】
本発明によれば、適切な時期にスケール抑制剤のメンテナンスの必要性を判断することで、スケールの堆積を予防することができる。
【図面の簡単な説明】
【００１４】
【図１】本発明の実施の形態１における給湯装置の構成図
【図２】水の温度とスケール成分の溶解度との関係を説明する説明図
【図３】本発明の実施の形態１における給湯装置の水の加熱温度と加熱流量との関係を説明する説明図
【図４】同給湯装置の水の加熱温度とスケール抑制剤濃度との関係を示す特性図
【図５】同給湯装置の水の加熱温度とスケール抑制剤濃度との他の関係を示す特性図
【図６】同給湯装置の報知装置の正面図
【図７】スケール抑制装置を流れる水の流量とスケール抑制剤の濃度およびスケール抑制剤の消費量との関係を示すグラフ
【図８】本発明の実施の形態２における給湯装置の構成図
【図９】同給湯装置の外気温度に応じた運転条件を示すグラフ
【図１０】本発明の実施の形態３における給湯装置の構成図
【図１１】（ａ）同給湯装置において流量が小さいときの流量とスケール抑制剤の濃度との関係を説明する説明図（ｂ）同給湯装置において流量が大きいときの流量とスケール抑制剤の濃度との関係を説明する説明図
【図１２】（ａ）同給湯装置の分流比率を設定する流量調節部の一例を示す構成図（ｂ）同給湯装置の分流比率を設定する流量調節部の他の一例を示す構成図
【図１３】本発明の実施の形態３における給湯装置の構成図
【図１４】本発明の実施の形態４における給湯装置の構成図
【図１５】従来の給湯装置の構成図
【発明を実施するための形態】
【００１５】
第１の発明は、湯を貯える貯湯槽と、前記貯湯槽の下部から入水管路を介して送られた水を加熱する加熱装置と、前記入水管路に配設され、前記貯湯槽の下部の水を前記加熱装置に圧送する循環ポンプと、前記加熱装置で加熱された水を前記貯湯槽の上部へと導入する出湯管路と、前記加熱装置に圧送される水に、スケールの生成を抑制するスケール抑制剤を添加するスケール抑制装置と、前記スケール抑制装置を流れる水の流量を検出する流量検出装置と、前記スケール抑制装置のメンテナンスの必要性を判断する制御装置と、前記スケール抑制装置のメンテナンスの必要性を表示する報知装置と、を備え、前記制御装置は、前記流量検出装置で検出された流量に基づいて、前記スケール抑制装置のメンテナンスの必要性を判断することを特徴とする給湯装置である。
【００１６】
これにより、スケール抑制剤の消費量が、流量検出装置で検出された流量から推定され
る。また、報知装置でスケール抑制剤のメンテナンスの必要性を報知する。よって、スケール抑制剤が減少または枯渇してスケールが生成されることで生じる熱交換効率の低下や配管の閉塞が発生するよりも前に、スケール抑制装置のメンテナンスを行うことができる。また、スケール抑制剤の消費量が少なく、スケール抑制剤が未使用で多く残存している状態でメンテナンスが行われることを防止する。
【００１７】
その結果、適切な時期にメンテナンスが行われるので、維持コストが低減して、使用者の使用性が向上する。
【００１８】
第２の発明は、特に第１の発明において、前記制御装置は、前記スケール抑制装置を流れる水の流量が異なる複数の運転を実行するとともに、前記制御装置は、複数の前記運転のうち、前記流量が大きい運転を実行した場合の方が、前記流量が小さい運転を実行した場合よりも、短い前記循環ポンプの運転時間で、前記スケール抑制装置のメンテナンスが必要であると判断することを特徴とするものである。
【００１９】
これにより、スケール抑制剤の消費量が、運転の内容によって異なるスケール抑制剤の消費量の違いを考慮して、より精度よく推定される。よって、スケール抑制剤が枯渇してスケールが生成されることで生じる熱交換効率の低下や配管の閉塞が発生するより前に、スケール抑制装置のメンテナンスを行うことができる。また、スケール抑制剤の消費量が少なく、スケール抑制剤が未使用で多く残存している状態でメンテナンスが行われることを防止する。
【００２０】
第３の発明は、特に第１または第２の発明において、前記入水管路の一部を迂回するバイパス回路と、前記入水管路を流れる水の流量と前記バイパス回路を流れる水の流量との比率を変更する流量調節装置と、を備え、前記スケール抑制装置は、前記バイパス回路に配設され、前記制御装置は、前記バイパス回路に流れる流量が大きい場合の方が、前記バイパス回路に流れる流量が小さい場合よりも、短い前記循環ポンプの運転時間で、前記スケール抑制装置のメンテナンスが必要であると判断することを特徴とするものである。
【００２１】
これにより、スケール抑制剤の消費量が、バイパス回路に流れる水の流量によって異なるスケール抑制剤の消費量の違いを考慮して、より精度よく推定される。よって、スケール抑制剤が枯渇してスケールが生成されることで生じる熱交換効率の低下や配管の閉塞が発生するより前に、スケール抑制装置のメンテナンスを行うことができる。また、スケール抑制剤の消費量が少なく、スケール抑制剤が未使用で多く残存している状態でメンテナンスが行われることを防止する。
【００２２】
第４の発明は、特に第１〜第３のいずれかの発明において、前記スケール抑制剤は、ポリリン酸塩を主成分とすることを特徴とするものである。
【００２３】
これにより、水に溶解したポリリン酸塩が、スケールの主成分である炭酸カルシウムに対して作用して、炭酸カルシウムの結晶改質を行う。よって、炭酸カルシウムを、通常の大きな菱面体ではなく、小さな球形結晶とすることができる。球形結晶は、菱面体結晶とは異なり結晶の凝集力が弱く、積層が困難なため、点凝集となり結晶の成長を阻害させることができるので、炭酸カルシウムのスケール化を抑制することができる。
【００２４】
以下、本発明の実施の形態について、図面を参照しながら説明する。なお、この実施の形態によって本発明が限定されるものではない。
【００２５】
（実施の形態１）
図１は、本発明の実施の形態１における給湯装置の構成図である。
【００２６】
図１に示す通り、給湯装置５０の熱源である加熱装置５５は、ヒートポンプユニットである。ヒートポンプユニットは、圧縮機５１、給湯熱交換器５２、減圧装置５３および大気熱を吸熱する蒸発器５４が冷媒配管で環状に接続されたヒートポンプサイクルを備えている。このヒートポンプサイクルには、冷媒として、高圧側の冷媒圧力が臨界圧力以上となる二酸化炭素が循環する。
【００２７】
貯湯ユニット５６に収納された貯湯槽５７への給水は、貯湯槽５７下部に接続された給水管５８を介して行われる。また、貯湯槽５７上部に貯留された高温の湯は、給湯管路５９を通り、給湯混合弁６０で給水管から供給される水と混合される。水と混合された湯は、これによって所定の温度となり、給湯配管６１を通って給湯端末（蛇口）６２から給湯される。
【００２８】
また、貯湯槽５７の下部、循環ポンプ６３、入水管路６４、給湯熱交換器５２、出湯管路６５、貯湯槽５７の上部が順に環状に接続されて沸き上げ回路が構成されている。貯湯槽５７の下部から、循環ポンプ６３で送られてきた水は、給湯熱交換器５２で高温冷媒と熱交換して加熱され、出湯管路６５を介して貯湯槽５７の上から貯留される。なお、給湯熱交換器５２で加熱された湯水の温度は、出湯管路６５に配設された温度検出手段６６によって検出する。
【００２９】
さらに、入水管路６４には、スケール抑制剤６７を充填したスケール抑制装置６８が設けられている。また、スケール抑制装置６８と貯湯槽５７との間の入水管路６４、すなわち、入水管路６４の水の流れ方向に対してスケール抑制装置６８の上流側の入水管路６４には、スケール抑制装置６８に流入する水の流量を検出する流量検出装置７３（流量センサ）が設けられている。
【００３０】
そして、給湯装置５０の運転を制御する制御装置７０と給湯装置５０の運転操作や設定を行い、設定状態や各種報知などを行うリモコン７２が設けられている。
【００３１】
以上のように構成された給湯装置５０について、以下にその動作、作用を説明する。
【００３２】
図１において、貯湯槽５７を沸き上げる加熱運転について説明する。いま、制御装置７０より貯湯槽５７を沸き上げる要求が発せられると、加熱装置５５で大気熱を利用した加熱運転を行う。
【００３３】
この場合、圧縮機５１から吐出された臨界圧力以上の高温高圧の冷媒が給湯熱交換器５２に流入し、ここで貯湯槽５７の下部から送られてきた水と熱交換して放熱した後、減圧装置５３で減圧し、さらに、蒸発器５４で大気から熱を吸熱し、ガス化して圧縮機５１に戻る。
【００３４】
この時、入水管路６４を介して給湯熱交換器５２に流入する水の流量は、給湯熱交換器５２の出口温度（加熱温度）が所望の温度となるように、循環ポンプ６３の回転数を制御することによって調節される。これにより、所定の温度の湯が貯湯槽５７の上部から流入し貯留される。
【００３５】
このとき、入水管路６４にスケール抑制剤６７を充填したスケール抑制装置６８が配設されているので、循環ポンプ６３によって貯湯槽５７の下部から送られてきた水は、スケール抑制装置６８を備えた回路に流れる。スケール抑制装置６８に流入し、スケール抑制剤６７が溶解した水は、給湯熱交換器５２に流入し、前述のように所定の温度になるように加熱される。
【００３６】
ここで、スケール抑制剤６７としてポリリン酸塩を主成分とする粒子をスケール抑制装置６８に充填しており、水に溶解したスケール抑制剤６７は、給湯熱交換器５２中で生成する炭酸カルシウムの結晶の成長を抑制し、スケールの発生を防止する。
【００３７】
ポリリン酸塩としてはトリポリリン酸ナトリウムやヘキサメタリン酸ナトリウムが代表的であるが、その他のポリリン酸塩を用いても良い。
【００３８】
また、本実施の形態ではスケール抑制剤６７としてはポリリン酸塩を主成分とする粒子としているが、ホスホン酸やカルボン酸系高分子電解質等の低分子ポリマーを主成分とするものでも構わず、スケール抑制作用を有するものであれば良い。
【００３９】
これにより、水に溶解したポリリン酸塩が、スケールの主成分である炭酸カルシウムの結晶改質を行う。これにより、炭酸カルシウムが通常の大きな菱面体ではなく小さな球形結晶となる。よって、炭酸カルシウムの結晶の凝集力が弱くなるので、結晶の成長が阻害され、炭酸カルシウムがスケールとして析出することを抑制することができる。
【００４０】
次に、スケールの析出と水の温度の関係について説明する。図２は、横軸に水の温度をとり、縦軸にスケール成分の溶解度をとって、水に対するスケール成分の溶解度を説明する説明図である。図２に示すように、水の温度が高くなればなるほど、スケール成分（例えば、炭酸カルシウムなど）の溶解度は小さくなり、結晶化して水に析出する。
【００４１】
貯湯式の給湯装置の場合、主として、一日の給湯負荷に見合う分の湯を電気代の安い深夜電力を利用して、貯湯槽５７に貯留する。ここで、給湯負荷は、湯を使用する頻度と使用量が多く、外気温度の低い冬に大きく、逆に、外気温度の高い夏には小さい。
【００４２】
季節ごとに異なる給湯負荷に対しては、貯湯槽５７に貯留する湯の加熱温度を変更（例えば、６５℃から９０℃）して対応する。すなわち、給湯負荷の大きい冬には、例えば８５℃（〜９０℃）程度に加熱して貯留し、給湯負荷の小さい夏は、冬よりも低い、例えば６５℃〜７０℃程度の加熱温度にて湯を貯留する。この加熱温度は、中間期には、その中間の温度となる。
【００４３】
よって、特に給湯熱交換器５２内の水通路表面などに付着、堆積するスケールは、冬における沸き上げ運転のように、加熱温度が高い状況下で多く生じることとなる。
【００４４】
よって、スケールの析出が生じやすい運転条件、すなわち、加熱温度が高い条件において、水に溶解させるスケール抑制剤６７の濃度を大きくすれば、スケールの析出を効果的に抑制することができる。
【００４５】
ここで、貯湯式の給湯装置の場合、一般に、加熱能力は外気温度が変化してもほぼ一定である。また、給湯装置への給水として使用される水道水の温度は、一般に外気温度が低いほど低くなる。
【００４６】
図３は、横軸に加熱温度をとり、縦軸に加熱流量、すなわち、加熱装置５５へと流入して加熱される水の流量をとって、加熱温度と加熱流量の関係を示した説明図である。
【００４７】
加熱装置５５による加熱能力がほぼ一定であるとすると、図３に示すように、水道から給水される水の加熱温度は、加熱装置５５に流入する水の流量（加熱流量）を調節して対応することができる。例えば、加熱流量を小さくすることで、加熱装置５５に水が滞留する時間が長くなるので、加熱流量が多い場合と比較して、単位流量あたりの水が高温の冷
媒から得る熱量が多くなる。よって、加熱温度を高くすることができる。
【００４８】
したがって、図３に示すように、制御装置７０は、湯を生成する際の加熱温度が低いときよりも高いときの方が、加熱装置５５へと流入する水の流量が小さくなるように、循環ポンプ６３の回転数を制御する。給湯熱交換器５２から流出する水の温度（加熱温度）は、温度検出手段６６により検出されて、検出された加熱温度の上方が制御装置７０に送られる。これにより、様々な加熱温度に対応することができる。
【００４９】
また、加熱流量を小さくする、すなわち、加熱装置５５に流入する水の流量を小さくすると、加熱流量が多い場合と比較して、入水管路６４を流れる水がスケール抑制装置６８内に滞留する時間が長くなる。
【００５０】
よって、水とスケール抑制剤６７が接触する時間が長くなり、スケール抑制剤６７の水への溶解量を多くすることができるので、加熱装置５５へ流入する水に含まれるスケール抑制剤６７の濃度を増大させることができる。
【００５１】
以上のように、制御装置７０は、スケールが析出しやすい状況、すなわち、加熱温度が高い運転条件において、加熱装置５５に流入する水の流量が小さくなるように循環ポンプ６３の回転数を制御する。これにより、加熱温度を高くすることができるとともに、スケール抑制装置６８において、スケール抑制剤６７の単位流量あたりの水への溶解量を多くして、加熱装置５５に流入する水に含有するスケール抑制剤６７の濃度を増大することができる。
【００５２】
よって、給湯装置の運転条件に応じて、水に溶解するスケール抑制剤の濃度を調整することができるので、スケール抑制剤を浪費することなく、信頼性の高い給湯装置を提供することができる。
【００５３】
なお、加熱温度と、加熱装置５５への流入する水のスケール抑制剤濃度との関係は、図４の特性図に示すように、加熱温度が高くなるほどスケール抑制剤の濃度を高くするようにしてもよく、また、図５に示すように、段階的にスケール抑制剤の濃度が高くなるようにしてもよい。また、加熱温度が低いときよりも高いときに、加熱装置５５に流入する水のスケール抑制剤６７の濃度を大きくすることができるならば、図４、図５の特性図の形態に限定されることはない。
【００５４】
以上のように、スケールが発生しやすい条件である高い加熱温度のときに、加熱装置５５に流入する水に含まれるスケール抑制剤６７の濃度を大きくするので、スケールの生成を抑制することができ、加熱温度によらず安定してスケールの生成を抑制できる。よって給湯熱交換器５２などの配管にスケールが付着することを防止して安定的に運転可能な給湯装置５０とすることができる。
【００５５】
また、加熱温度に応じて適切にスケール抑制剤６７の濃度を調節するので、スケール抑制剤６７を過不足なく有効に消費していくことができ、スケール抑制剤６７の交換のメンテナンスを減少でき、その維持コストも低減することができる。
【００５６】
次にスケール抑制剤６７のメンテナンスの必要性をリモコン７２に表示する方法に関して説明する。
【００５７】
スケール抑制装置６８に充填されるスケール抑制剤６７の充填量は、給湯装置の一般的な湯の使用量や、給湯熱交換器５２で加熱される水の量を想定して、約１年で無くなるように決定される。よって、スケール抑制剤６７が無くなった場合、スケール抑制剤６７の
補充やスケール抑制装置６８の交換などのメンテナンスが必要である。
【００５８】
しかし、使用者によって湯の使用量は大きく異なることから、スケール抑制剤６７が１年未満で無くなる場合もあり、一方、１年以上枯渇しない場合もある。
【００５９】
スケール抑制剤６７が減少または枯渇した後に給湯装置５０の運転が継続されると、給湯熱交換器５２がスケール詰まりを起こして故障に至る場合がある。一方、スケール抑制剤６７が多く残った状態で、スケール抑制剤６７の補充やスケール抑制装置６８の交換を行うと、メンテナンスの回数が増大し、給湯装置５０の維持コストが増大する。
【００６０】
そこで、給湯装置５０は、スケール抑制剤６７の消費量を制御装置７０にて自動で推定する。さらに、制御装置７０は、スケール抑制剤６７の残量が少なくなったと判断されると、リモコン（報知装置）７２に、スケール抑制装置６８のメンテナンスの必要があることを表示する。これにより、スケール抑制剤６７が枯渇した状態で給湯装置５０が使用され続けることを防止する。また、スケール抑制剤６７が多く残った状態でメンテナンスを行われることを防止する。図６は、スケール抑制装置６８のメンテナンスの必要性を報知する際の、リモコン７２における表示部７２ａの例を示すものである。
【００６１】
スケール抑制剤６７の消費量の推定方法は以下のようにしている。
【００６２】
スケール抑制剤６７は、水がスケール抑制装置６８を流れることで消費される。そこで、制御装置７０は、スケール抑制装置６８を流れる水の流量を検出することでスケール抑制剤６７の消費量の推定を行う。
【００６３】
ここで、図７に示すように、スケール抑制装置６８を流れる水の流量と、その流量の水に溶解するスケール抑制剤６７の濃度とは、水の流量が増加するほど濃度が低下する関係にある。これは、水の流量が小さいほうが、水がスケール抑制装置６８内に滞留する時間が長くなり、単位流量あたりの水に溶解するスケール抑制剤６７の量が多くなるためである。
【００６４】
一方、スケール抑制装置６８を流れる水の流量と、その流量の水をスケール抑制装置６８に流入させた場合のスケール抑制剤６７の消費量とは、水の流量が増加するほど消費量が増加する関係にある。
【００６５】
スケール抑制装置６８を流れる水の流量は、スケール抑制装置６８と循環ポンプ６３との間に配置された流量検出装置７３で検出される。制御装置７０は、流量検出装置７３によって計測された水の流量を積算する。制御装置７０は、積算された水の流量（積算流量）があらかじめ決められた所定値を越えると、スケール抑制剤６７の残量が少なくなった、または、スケール抑制剤６７が枯渇したと判断し、リモコン７２にスケール抑制装置６８のメンテナンスの必要性に関する表示部７２ａを表示する。
【００６６】
また、リモコン７２には、積算流量のリセットを行うスイッチ（図示せず）を有している。スケール抑制剤６７の充填、または、スケール抑制装置６８の交換などのメンテナンスが行われると、スイッチで積算流量のリセットを行うとともに、リモコン７２に表示された表示部７２ａを消すことができる。
【００６７】
これにより、制御装置７０は、スケール抑制装置６８を流れる水の流量を流量検出装置７３によって検出して、流量の積算値（積算流量）、すなわち、スケール抑制装置６８に流れた水の量を算出する。制御装置７０は、スケール抑制装置６８に流れる流量とスケール抑制剤６７の消費量との関係から、スケール抑制剤６７の消費量およびスケール抑制剤
６７の残量を推定する。これにより、スケール抑制剤６７の消費量が的確に推定される。また、制御装置７０は、スケール抑制剤６７補充やスケール抑制装置６８の交換などのメンテナンスの必要性を、リモコン７２に表示する。これにより、スケール抑制剤６７が枯渇して、スケールの析出による熱交換効率の低下や、スケールによる配管の閉塞が生じる前に、メンテナンスを行うことができる。また、スケール抑制剤６７が多く残った状態で、メンテナンスを行うことを防止する。よって、メンテナンスの回数が増大して維持コストが増大することを防止する。
【００６８】
また、加熱装置５５は圧縮機５１、給湯熱交換器５２、減圧装置５３、蒸発器５４とからなるヒートポンプサイクルで構成され、水の加熱は、給湯熱交換器５２において圧縮された高温冷媒と水とが熱交換することで行われる。このヒートポンプサイクル中を冷媒が循環して放熱と吸熱を繰り返すことで効率的に水を加熱することができる。よって、給湯装置５０の省エネルギー化を図ることができる。
【００６９】
なお、本実施の形態において、スケール抑制装置６８に流入する水の流量は、流量センサによって直接的に検出されているが、他の手段を用いてもよい。例えば、流量検出装置７３として、循環ポンプ６３を使用することができる。この場合、制御装置７０は、循環ポンプ６３の回転数を検出し、あらかじめ実験的に求められた循環ポンプ６３の回転数と流量との関係から、スケール抑制装置６８へと流入する水の流量を間接的に検出する。
【００７０】
（実施の形態２）
図８は、本発明の実施の形態２における給湯装置の構成図、図９は同実施の形態における加熱温度に対する特性図である。
【００７１】
本実施の形態において、実施の形態１と同一の部分については同一符号を付し、その詳細な説明は省略する。
【００７２】
図８に示すとおり、給湯装置５０の入水管路６４には循環ポンプ６３が配置されており、貯湯槽５７から給湯熱交換器５２に流れる水量を調整している。スケール抑制装置６８内を流れる水の流量は、循環ポンプ６３との間に設けた流量検出装置７３で計測される。
【００７３】
また、出湯管路６５には、第１管路６５ａと第２管路６５ｂとに流路を切り換える三方弁８１が接続されている。三方弁８１の一つの接続口は、貯湯槽５７の上部に接続される大１管路６５ａに接続されている。三方弁８１の一つの接続口は、貯湯槽５７の下部に接続される管路６５ｂに接続されている。三方弁８１の一つ接続口は、給湯熱交換器５２に接続される出湯管路６５に接続される。
【００７４】
さらに、加熱装置（ヒートポンプユニット）５５には、外気温度を測定する外気温センサ８０が設けられている。なお、外気温度センサ８０は、蒸発器５４に流入する空気の温度を検知することができるように、ヒートポンプユニットを構成する蒸発器５４に配設され、かつ、蒸発器５４に流入する気流に対して最も風上に配設されている。
【００７５】
以上のように構成された給湯装置について、以下にその動作、作用を説明する。
【００７６】
循環ポンプ６３の動作は、温度検出手段６６の信号を受けた制御装置７０による命令によって適宜調整される。ここで、図９に示すように、制御装置７０は、加熱温度に応じて入水管路６４を流れる水の流量を変更する。流量を変更することでスケール抑制装置６８における水の滞留時間が変化するので、水へのスケール抑制剤６７の溶解量が変わる。つまり、循環ポンプ６３によって、加熱装置５５に流入する水に含まれるスケール抑制剤６７の濃度を調節することが可能となる。
【００７７】
本実施の形態では、図９に示すように、加熱温度が低いときよりも高いときに循環ポンプ６３により加熱流量を小さくして、スケール抑制剤６７の濃度を大きくしている。
【００７８】
ここで、一般的に給湯装置５０が設置されるときの外気温度により、給水管５８を介して供給される水の市水（入水）温度は変化する。すなわち、外気温度が高いときは市水（入水）温度も高くなり、外気温度が低い時は市水（入水）温度が低くなる。また、外気温度が高い時よりも低い時のほうが、使用される湯量が多く、また、使用される湯の温度が高いため、加熱温度を高くして、貯湯槽５７に高温の湯を多く貯湯する必要がある。
【００７９】
このように、外気温度の高低によって、加熱温度の目標値は変化する。例えば、外気温度が低いとき（外気温度Ａ）は、外気温度が高いとき（外気温度Ｂ）よりも、加熱温度を高くする。このとき、加熱装置５５にて、高温の冷媒から単位流量あたりの水へと放熱される熱量を大きくするため、図９の外気温度Ａの条件に示すように、外気温度Ｂの条件と比較して流量が小さくなるように循環ポンプ６３の回転数を制御する。
【００８０】
また、外気温度センサ８０で測定される外気温度が高い時は、加熱温度を低くして、加熱装置５５による加熱量を小さくすることができる。よって、図９に示すように、給湯熱交換器５２における水の滞留時間を短くするため、循環ポンプ６３の回転数を大きくして、加熱装置５５へと圧送される水の流量を大きくする。
【００８１】
以上のように、外気温度に応じて、循環ポンプ６３によって加熱流量を調整することで、加熱温度の高低を調整することができる。
【００８２】
また、外気温度に応じて加熱流量を調整することで、図９に示すように、加熱装置５５に流入する水に含まれるスケール抑制剤６７の濃度を調整することができる。
【００８３】
すなわち、外気温度が高い（外気温度Ｂ）条件においては、外気温度が低い（外気温度Ａ）条件と比較して、循環ポンプ６３の回転数を多くすることで水の流量を増大させるので、スケール抑制装置６８において水の滞留時間が短くなり、スケール抑制剤６７の濃度を低くすることができる。
【００８４】
一方、外気温度が低い（外気温度Ａ）条件においては、外気温度が高い（外気温度Ｂ）条件と比較して、循環ポンプ６３の回転数を小さくすることで水の流量を減少させるので、スケール抑制装置６８において水の滞留時間が長くなり、スケール抑制剤６７の濃度を高くすることができる。
【００８５】
なお、加熱装置５５に流入する水に含まれるスケール抑制剤６７の濃度の決定は、例えば井戸水などの高硬度水を給水に利用する場合、給水管５８に配設され、給水の硬度を検出する硬度検出手段７１の検出値に基づいて行ってもよい。給水の硬度が高ければ、それに応じて、スケール生成を抑制できる濃度とするために、制御装置７０が循環ポンプ６３の回転数を調整する。なお、給水硬度は利用者が直接、制御装置７０を備えた給湯装置５０のリモコン７２に入力する構成としてもよい。
【００８６】
また、給湯熱交換器５２内にスケールが付着および生成する主な要因は、給水硬度と貯湯槽５７に貯留する貯湯温度（加熱温度）であり、給水硬度が高いとき、また、加熱温度が高いときにスケールが発生しやすい。そこで、給水硬度及び加熱温度とスケール生成を抑制できるスケール抑制剤６７の濃度との関係をリモコン７２に記憶させておいても良い。
【００８７】
次にスケール抑制剤６７のメンテナンスの必要性をリモコン７２に表示する方法に関して説明する。
【００８８】
本実施の形態における給湯装置５０は、スケール抑制剤６７の消費量を制御装置７０にて自動で推定する。さらに、制御装置７０は、スケール抑制剤６７の残量が少なくなったと判断されると、リモコン７２に、スケール抑制装置６８のメンテナンスの必要があることを表示する。これにより、スケール抑制剤６７が枯渇した状態で給湯装置５０が使用され続けることを防止する。また、スケール抑制剤６７が多く残った状態でメンテナンスを行われることを防止する。
【００８９】
スケール抑制剤６７の消費量の推定方法は以下のようにしている。
【００９０】
スケール抑制剤６７は、水がスケール抑制装置６８を流れることで消費される。そこで、制御装置７０は、スケール抑制装置６８を流れる水の流量を検出することでスケール抑制剤６７の消費量の推定を行う。
【００９１】
スケール抑制装置６８を流れる水の流量は、スケール抑制装置６８と循環ポンプ６３との間に配置された流量検出装置７３によって検出される。制御装置７０は、流量検出装置７３によって計測された水の流量を積算する。制御装置７０は、積算された水の流量（積算流量）があらかじめ決められた所定値を越えると、スケール抑制剤６７の残量が少なくなった、または、枯渇したと判断し、リモコン７２にスケール抑制装置６８のメンテナンスの必要があることを表示する。
【００９２】
また、リモコン７２は、積算流量のリセットを行うスイッチ（図示せず）を有している。スケール抑制剤６７の充填、または、スケール抑制装置６８の交換などのメンテナンスが行われると、リモコン７２にて積算流量のリセットを行うとともに、リモコン７２に表示された、スケール抑制装置６８のメンテナンスに関する表示部７２ａを消す。
【００９３】
これにより、制御装置７０は、スケール抑制装置６８を流れる水の流量を流量検出装置７３によって検出して、流量の積算値（積算流量）、すなわち、スケール抑制装置６８に流れた水の量を算出する。制御装置７０は、スケール抑制装置６８に流れる流量とスケール抑制剤６７の消費量との関係から、スケール抑制剤６７の消費量およびスケール抑制剤６７の残量を推定する。これにより、スケール抑制剤６７の消費量が的確に推定される。
【００９４】
また、制御装置７０は、スケール抑制剤６７補充やスケール抑制装置６８の交換などのメンテナンスの必要性を、リモコン７２に表示する。これにより、スケール抑制剤６７が枯渇して、スケールの析出による熱交換効率の低下や、スケールによる配管の閉塞が生じる前に、メンテナンスを行うことができる。また、スケール抑制剤６７が多く残った状態で、メンテナンスを行うことを防止することができる。よって、メンテナンスの回数が増大して維持コストが増大することを防止する。
【００９５】
次に入水管路６４、出湯管路６５、加熱装置５５の凍結防止運転と、その時のスケール抑制剤６７の交換報知に用いるスケール抑制装置内を流れる水の量の積算方法について説明する。
【００９６】
外気温度が０℃以下になり加熱運転も行われていない状態が継続すると、入水管路６４、出湯管路６５、加熱装置５５の内部に滞留する水が凍結する場合がある。これにより、加熱運転ができなくなってしまう。また、配管や接続部が破損する場合もある。
【００９７】
そこで、制御装置７０は、外気温度センサ８０の検出値が０℃以下の低い温度を検出し
、かつ、所定時間継続して加熱運転を行っていない場合には凍結予防運転を行う。
【００９８】
制御装置７０は、水が管路６５ｂを流れるように三方弁８１切り換えて、凍結予防運転を行う。凍結予防運転において、制御装置７０は、加熱装置５５を停止させたまま循環ポンプ６３を動作させる。これにより、貯湯槽５７から入水管路６４に流出した水が、スケール抑制装置６８、給湯熱交換器５２、出湯管路６５、三方弁８１、管路６５ｂを流れ、貯湯槽５７の下部に流入する。これにより、配管内に滞留する水の凍結を防止する。
【００９９】
凍結予防運転における水の流量（循環流量）は、配管内での水の凍結を予防できればよいので、給湯運転と比較して少なくてよい。よって、循環ポンプ６３の回転数は、給湯運転と比較して小さくてよい。
【０１００】
ここで、加熱装置５５は、凍結予防運転時には停止された状態である。よって、加熱装置５５による水の加熱が行われないので、スケールは析出しない。したがって、入水管路６４にスケール抑制剤６７を添加する必要はない。しかしながら、循環ポンプ６３が運転されると、水がスケール抑制装置６８を流れるので、スケール抑制剤６７が水に溶解し消費されてしまう。
【０１０１】
ここで、凍結予防運転における水の流量は、加熱運転における水の流量と比較して小さい。したがって、凍結予防運転と加熱運転とを同じ時間行った場合、凍結予防運転のほうがスケール抑制剤６７の消費量が少ない。
【０１０２】
そこで、制御装置７０は、凍結予防運転における水の流量を積算する場合、積算される水の流量が少なくなるように、補正係数（例えば０．５）を掛けて積算を行う。
【０１０３】
以上、本実施の形態における給湯装置５０は、入水管路６４上に循環ポンプ６３を設け、外気温度の高低に応じて循環ポンプ６３で流量を調節されたスケール抑制装置内を流れる水の量の多少によって、加熱装置５５に流入する水に含まれるスケール抑制剤６７の濃度を変更するものである。
【０１０４】
これにより、加熱流量を大きくすることでスケール抑制装置６８における水の滞留時間が短くなるので、スケール抑制剤６７の濃度を小さくでき、一方、加熱流量を小さくすることでスケール抑制剤６７の濃度を大きくすることが可能となる。
【０１０５】
また、加熱流量を大きくすることで給湯熱交換器５２における水の滞留時間が短くなるので、加熱温度を低くすることができ、一方、加熱流量を小さくすることで加熱温度を高くすることが可能となる。
【０１０６】
つまり、加熱流量を大きくすると、スケール抑制剤６７の濃度が小さく、かつ、加熱温度を低くすることができる。一方、加熱流量を小さくすると、スケール抑制剤６７の濃度が大きく、かつ、加熱温度を高くすることができる。よって、加熱流量を循環ポンプ６３の回転数によって調節し、スケール抑制装置内を流れる水の量を変化させることで、外気温度に応じたスケール抑制剤６７の濃度を適宜調整することができる。
【０１０７】
また、制御装置７０は、凍結予防運転における水の流量を積算する場合、積算される水の流量が少なくなるように、補正係数（例えば０．５）を掛けて積算を行う。
【０１０８】
これにより、制御装置７０は、スケール抑制装置６８に流れる水の流量が大きい加熱運転を実行した場合と、スケール抑制装置６８に流れる水の流量が小さい凍結予防運転を実行した場合とで、水の流量が大きい加熱運転を多く実行した場合の方が、より短い循環ポ
ンプの運転時間で、スケール抑制装置６８のメンテナンスの必要性を、リモコン７２に表示する。
【０１０９】
なお、加熱運転時にも給湯熱交換器５２に流入する水の温度（入水温度）や加熱温度によって循環ポンプ６３の回転数は異なり、スケール抑制装置６８内を流れる水の量が変化する。したがって、制御装置７０は、給湯装置５０の運転中における入水温度や加熱温度によって様々な補正係数を掛けて、積算流量の計算を行ってもよい。これにより、スケール抑制装置６８の消費量をより精度よく推定することができる。
【０１１０】
以上のように、給湯装置５０の運転条件に応じてスケール生成を抑制することができ、かつ、スケール抑制剤６７の浪費を防止した、信頼性に優れた給湯装置５０を提供することができる。また、スケール抑制剤６７の消費量を精度よく推定することができるので、適切なタイミングで、スケール抑制剤６７のメンテナンスの必要性を報知することができる。その結果、メンテナンスの回数を抑制し、維持コストを低減させることができる。
【０１１１】
なお、本実施の形態において、スケール抑制装置６８に流入する水の流量は、流量センサによって直接的に検出されているが、他の手段を用いてもよい。例えば、流量検出装置７３として、循環ポンプ６３を使用することができる。この場合、制御装置７０は、循環ポンプ６３の回転数を検出し、あらかじめ求められた循環ポンプ６３の回転数と流量との関係から、スケール抑制装置６８へと流入する水の流量を間接的に検出する。
【０１１２】
（実施の形態３）
図１０は、本発明の実施の形態３における給湯装置の構成図である。本実施の形態において、他の実施の形態と同一の部分については同一符号を付し、その詳細な説明は省略する。
【０１１３】
図１０において、給湯装置の熱源である加熱装置５５は、圧縮機５１、給湯熱交換器５２、減圧装置５３および大気熱を吸熱する蒸発器５４からなるヒートポンプサイクルを構成したヒートポンプユニットである。そして、高圧側の冷媒圧力が臨界圧力以上となる二酸化炭素を冷媒とする。
【０１１４】
貯湯ユニット５６に収納された貯湯槽５７への給水は、貯湯槽５７の下部に接続された給水管５８を通ってなされ、貯湯槽５７上部の高温の湯は給湯管路５９を通り給湯混合弁６０で給水と混合することによって所定の温度の湯にしてから、給湯配管６１を通って蛇口６２などの給湯端末から給湯される。
【０１１５】
また、貯湯槽５７の下部から循環ポンプ６３、入水管路６４、給湯熱交換器５２、出湯管路６５、三方弁８１、管路６５ａおよび貯湯槽５７の上部を順次接続することによって沸き上げ回路を構成し、入水管路６４に配設された循環ポンプ６３によって、貯湯槽５７から圧送された水は、給湯熱交換器５２において高温の冷媒により加熱されて貯湯槽５７の上から貯留される。
【０１１６】
また、給湯熱交換器５２の水側出口に接続された出湯管路６５には、加熱装置によって加熱された湯の温度、すなわち加熱温度を検出する温度検出手段６６が設けられている。
【０１１７】
さらに、入水管路６４において、入水管路６４の一部を迂回させる別の入水管路であるバイパス回路７４を並列に設け、このバイパス回路７４上に、スケール抑制剤６７を充填したスケール抑制装置６８が設けられている。これにより、スケール抑制装置６８が設けられていない入水管路６４が主回路となり、スケール抑制装置６８が配置されたバイパス回路７４は、入水管路６４の副回路を形成することとなる。
【０１１８】
以上のように構成された給湯装置について、以下にその動作、作用を説明する。
【０１１９】
図１０において、貯湯槽５７を沸き上げる加熱運転について説明する。貯湯槽５７に蓄えられた水を沸き上げる要求があると、加熱装置５５であるヒートポンプユニットで大気熱を利用した加熱運転を行う。この場合、圧縮機５１から吐出された臨界圧力以上の高温高圧の冷媒は、給湯熱交換器５２へと流入し、ここで貯湯槽５７の下部から送られてきた水と熱交換し放熱した後、減圧装置５３で減圧され、さらに、蒸発器５４で大気から熱を吸熱し、ガス化して圧縮機５１に戻る。
【０１２０】
このとき、温度検出手段６６にて検出される給湯熱交換器５２の出口温度（加熱温度）が所定温度となるように循環ポンプ６３の回転数を制御することで、給湯熱交換器５２にて、貯湯槽５７の下部から入水管路６４を通って送られてきた水が加熱され、所定の温度の湯となり、貯湯槽５７の上部から流入し貯留される。
【０１２１】
ここで、スケール抑制剤６７を充填したスケール抑制装置６８を備えたバイパス回路７４が入水管路６４に並列に接続されているので、循環ポンプ６３によって貯湯槽５７の下部から送られてきた水の一部は、接続部Ａでスケール抑制装置６８を備えたバイパス回路７４側に流れ、残りは入水管路６４側に流れる。
【０１２２】
そして、バイパス回路７４側に流れた水は、スケール抑制装置６８に流入し、スケール抑制剤６７が溶解され、その後、接続部Ｂで、入水管路６４に流れた水と混合する。接続部Ｂで入水管路６４を流れた水と混合され、スケール抑制剤６７が溶解した水は、給湯熱交換器５２に流入して、所定の温度になるように加熱される。このとき、水に含まれるスケール抑制剤６７は、特に給湯熱交換器５２中で生成する炭酸カルシウムなどの結晶の成長を抑制し、スケールの発生を防止する。
【０１２３】
図２は、横軸に水の温度をとり、縦軸にスケール成分の溶解度をとって、水に対するスケール成分の溶解度を説明する説明図である。図２に示すように、水の温度が高くなればなるほど、スケール成分（例えば、炭酸カルシウムなど）の溶解度は小さくなり、結晶化して水に析出する。
【０１２４】
また、前述のように、貯湯式の給湯装置においては、給湯負荷は、湯を使用する頻度と使用量が多く、外気温度の低い冬に大きく、逆に、外気温度の高い夏には小さい。
【０１２５】
季節ごとに異なる給湯負荷に対しては、貯湯槽５７に貯留する湯の加熱温度を変更して対応する。すなわち、給湯負荷の大きい冬には、給湯負荷の小さい夏よりも高い、例えば８５℃（〜９０℃）程度の加熱温度にて湯を貯留する。
【０１２６】
以上から、特に給湯熱交換器５２内の水通路表面などに付着、堆積するスケールは、外気温度が低い冬の加熱運転のように、加熱温度が高い運転条件で多く生じることとなる。
【０１２７】
よって、スケールの析出が生じやすい運転条件、すなわち、加熱温度が高い条件において、水に溶解させるスケール抑制剤６７の濃度を大きくすれば、スケールの析出を効果的に抑制することができる。
【０１２８】
ここで、貯湯式の給湯装置の場合、一般に、加熱能力は外気温度が変化してもほぼ一定である。また、給湯装置への給水として使用される水道水の温度は、一般に外気温度が低いほど低くなる。図３は、横軸に加熱温度をとり、縦軸に加熱流量、つまり、加熱装置５５にて加熱される水の流量をとって、加熱装置５５による加熱能力が一定の場合の加熱温
度と加熱流量の関係を示した説明図である。
【０１２９】
加熱装置５５による加熱能力が一定であるとすると、図３に示すように、水道から給水される水の加熱温度は、加熱装置５５に流入する水の流量（加熱流量）を調節して対応することができる。例えば、加熱流量を小さくすることで、加熱流量が大きい場合と比較して、加熱装置５５に水が滞留する時間が長くなるので、単位流量あたりの水が高温の冷媒から得る熱量が多くなる。よって、加熱温度を高くすることができる。したがって、湯を生成する際の加熱温度の目標値が低いときよりも高いときの方が、加熱装置５５へと流入する水の流量が小さくなるように、温度検出手段６６の信号を受けた制御装置７０による命令によって循環ポンプ６３の回転数を制御する。これにより、様々な加熱温度を実現することができる。
【０１３０】
以上のように、加熱温度が高い方が、スケールが生成しやすく、給湯熱交換器５２の水側流路表面に付着しやすいことになる。よって、スケールの生成と、特に給湯熱交換器５２の水側流路表面への付着とを防止するためには、加熱温度が高いときに給湯熱交換器５２内へと流入する水に含まれるスケール抑制剤の濃度、すなわち、水の単位質量あたりに含まれるスケール抑制剤の質量を大きくすればよい。
【０１３１】
図１１は、バイパス回路７４と入水管路６４を流れる流量とそのときのスケール抑制剤６７の濃度を説明する説明図である。図１１（ａ）は加熱流量が小さく、加熱温度が高い場合であり、図１１（ｂ）は加熱流量が大きく、加熱温度が低い場合である。
【０１３２】
バイパス回路７４は、入水管路６４の途中にある接続部Ａと接続部Ｂとに接続（接続部ＡがＢよりも上流側）されている。そして、バイパス回路７４はスケール抑制剤６７を収納したスケール抑制装置６８を備えている。
【０１３３】
接続部Ａで分流した入水管路６４側に流れる流量とバイパス回路側に流れる流量を、図１１（ａ）の場合はそれぞれＪ１、Ｋ１とし、図１１（ｂ）の場合はそれぞれＪ２、Ｋ２とする。また、スケール抑制装置６８の出口部Ｃを出たあとのスケール抑制剤６７の濃度を、図１１（ａ）の場合はＮ１（Ｃ）とし、図１１（ｂ）の場合はＮ２（Ｃ）とする。
【０１３４】
ここで、図１１（ａ）の場合は、図１１（ｂ）の場合に比べ流量が小さいので、加熱流量が小さくなるためにスケール抑制装置６８内の流速が小さくなる。したがって、スケール抑制装置６８内に流入した水とスケール抑制剤６７とが接触する時間が長くなり、その結果、スケール抑制装置６８を出た後の濃度は図１１（ａ）の方が大きくなる。すなわち、以下の関係となる。
【０１３５】
【数１】
2014200696.tif 000003
また、接続部Ｂの下流側のスケール抑制剤６７の濃度を、図１１（ａ）の場合はＮ１（Ｂ）とし、図１１（ｂ）の場合はＮ２（Ｂ）とすると、以下の関係式が得られる。
【０１３６】
【数２】
2014200696.tif 000004
【０１３７】
【数３】
2014200696.tif 000005
さらに、入水管路６４側とバイパス回路７４側に流れる流量の分流比率を、
【０１３８】
【数４】
2014200696.tif 000006
とすると、接続部Ｂの下流側のスケール抑制剤６７の濃度とスケール抑制装置６８の出口部Ｃを出たあとのスケール抑制剤６７の濃度との関係は次のようになる。
【０１３９】
【数５】
2014200696.tif 000007
以上の（式１）、（式５）より、給湯熱交換器５２に流入する接続部Ｂの下流側でのスケール抑制剤６７の濃度の関係は、以下のようになる。
【０１４０】
【数６】
2014200696.tif 000008
（式６）からわかるように、流量が小さい方が、給湯熱交換器５２に流入するスケール抑制剤６７の濃度が大きくなる。流量が小さい方が、加熱温度が高く、スケールが生成され易い条件であるが、スケール抑制剤６７の濃度を大きくすることができ、給湯熱交換器５２などへのスケール付着を抑制することができる。
【０１４１】
よって、図１０および図１１に示すような、分流比率を設定することが可能なバイパス回路７４によって貯湯槽５７下部から入水管路６４を流れる水を分流することにより、スケール抑制装置６８に流入する水の流量を適宜調整することが可能となり、これにより、スケール抑制剤６７の水への溶解量を調整することができる。
【０１４２】
図１２は、バイパス回路７４側と入水管路６４側とへ流れる水の流量の分流比率を設定する方法を説明する説明図である。
【０１４３】
図１２（ａ）は、入水管路６４の接続部Ａと接続部Ｂ間の流路抵抗を、例えば管路断面積をバイパス回路７４とは異なるように構成した流量調節部によって変化させ、これにより点ＡＢ間の圧力損失を設定して、その差圧に応じて分岐流量の分流比率を決定することができるようにしたものである。
【０１４４】
なお、スケール抑制装置６８の流路抵抗が大きい場合には、図１２（ｂ）に示すように、スケール抑制装置６８を備えたバイパス回路７４側に流体の動圧がかかる構成とし、点ＡＢ間の入水管路６４の形状を変更することで、点ＡＢ間の圧力損失を設定し、その差圧に応じて分岐流量の分流比率を必要に応じて決定することができる。
【０１４５】
以上のように、貯湯槽５７下部からの湯水の一部を分岐して、これにスケール抑制剤６７を溶解させ、その他の湯水はそのまま給湯熱交換器５２に流入するので、スケール抑制剤の浪費を防止することができる。よって、スケール抑制剤の寿命が長くなり、その交換や補充などのメンテナンスや維持コストを低減させるという効果がある。
【０１４６】
次にスケール抑制剤６７のメンテナンスの必要性をリモコン７２に表示する方法に関して説明する。
【０１４７】
スケール抑制装置６８を流れる水の流量は、スケール抑制装置６８と循環ポンプ６３との間の入水管路６４に配置された流量検出装置（流量センサ）７３によって検出される。なお、流量センサ７３は、水の流れ方向に対してスケール抑制装置６８の上流側のバイパス回路７４に配置されていても良い。
【０１４８】
制御装置７０は、流量検出装置７３によって計測された水の流量を積算する。制御装置７０は、積算された水の流量（積算流量）があらかじめ決められた所定値を越えると、スケール抑制剤６７の残量が少なくなったと判断し、リモコン７２にスケール抑制装置６８のメンテナンスの必要があることを表示する。
【０１４９】
また、リモコン７２には、積算流量のリセットを行うスイッチ（図示せず）を有している。スケール抑制剤６７の充填、または、スケール抑制装置６８の交換などのメンテナンスが行われると、リモコン７２にて積算流量をリセットし、リモコン７２に表示されたメンテナンスの必要性に関する表示部７２ａを消す。
【０１５０】
このように、制御装置７０は、スケール抑制装置６８を流れる水の流量を流量検出装置７３によって検出して、流量の積算値（積算流量）を算出する。制御装置７０は、バイパス回路７４に流れる分流比率と積算流量とから、スケール抑制装置６８に流れた水の量を算出する。制御装置７０は、スケール抑制装置６８に流れる流量とスケール抑制剤６７の消費量との関係から、スケール抑制剤６７の消費量およびスケール抑制剤６７の残量を推定する。これにより、スケール抑制剤６７の消費量が的確に推定される。
【０１５１】
また、制御装置７０は、スケール抑制剤６７補充やスケール抑制装置６８の交換などのメンテナンスの必要性を、リモコン７２に表示する。これにより、スケール抑制剤６７が減少または枯渇して、スケールの析出による熱交換効率の低下や、スケールによる配管の閉塞が生じる前に、メンテナンスを行うことができる。また、スケール抑制剤６７が多く残った状態で、メンテナンスを行うことを防止することができる。よって、メンテナンスの回数が増大して維持コストが増大することを防止する。
【０１５２】
また、制御装置７０は、加熱運転と比べ、スケール抑制剤６８を流れる水の流量が小さく、スケール抑制剤６７の消費量が少ない凍結予防運転を実行するとき、積算される水の流量が少なくなるように、補正係数（例えば０．５）を掛けて、積算流量の計算を行う。
【０１５３】
これにより、制御装置７０は、スケール抑制装置６８に流れる水の流量が大きい加熱運転を実行した場合と、スケール抑制装置６８に流れる水の流量が小さい凍結予防運転を実行した場合とで、水の流量が大きい加熱運転を多く実行した場合の方が、より早く、スケール抑制装置６８のメンテナンスの必要性を、リモコン７２に表示する。
【０１５４】
なお、加熱運転時にも入水温度や加熱温度によって循環ポンプ６３の回転数は異なり、スケール抑制装置６８を流れる水の量が変化する。よって、給湯装置５０の運転中における入水温度や加熱温度によって、スケール抑制剤６７の消費量は異なる。したがって、制御装置７０は、給湯装置５０の運転中における入水温度や加熱温度によって様々な補正係数を掛けて、積算流量の計算を行ってもよい。これにより、スケール抑制装置６８の消費量をより精度よく推定することができる。
【０１５５】
なお、本実施の形態において、スケール抑制装置６８に流入する水の流量は、流量センサによって直接的に検出されているが、他の手段を用いてもよい。例えば、流量検出装置７３として、循環ポンプ６３を使用することができる。この場合、制御装置７０は、循環ポンプ６３の回転数を検出し、あらかじめ求められた循環ポンプ６３の回転数と流量との関係から、スケール抑制装置６８へと流入する水の流量を間接的に検出する。
【０１５６】
（実施の形態４）
図１３は、本発明の実施の形態４における給湯装置の構成図である。
【０１５７】
本実施の形態において、他の実施の形態と同一部分には同一符号を付し、その詳細な説明は省略する。
【０１５８】
本実施の形態における給湯装置は、図１３に示すように、入水管路６４の接続部Ａと接続部Ｂの間に流量調節装置６９を備えている。制御装置７０は、流量調節装置６９の動作を制御する。
【０１５９】
流量調節装置６９としては、例えば、給湯装置で一般に使用されている流量制御弁を用いることができ、ステッピングモータを駆動させることによって、流体が通過する流路断面積を変えることによって流量を調節することができる。
【０１６０】
以上のように構成された給湯装置について、以下にその動作、作用を説明する。
【０１６１】
図１３において、接続部Ｂの下流におけるスケール抑制剤６７の濃度を所定の濃度に変更する場合、流量調節装置６９の流路抵抗を変更（例えば、流路断面積を変更）し、接続部Ａと接続部Ｂの間の圧力損失を変更することによって、スケール抑制装置６８側に分岐して流れる流量（分岐流量）の比率を変更する。
【０１６２】
すなわち、流量調節装置６９の流路抵抗を大きく（例えば、弁開度を小さくすることで流路断面積を小さく）すると、接続部Ａと接続部Ｂの間の圧力損失が大きくなるので、分岐流量の比率が大きくなり、逆に、流量調節装置６９の流路抵抗を小さく（例えば、流路断面積を大きく）することで、分岐流量比率を小さくすることができ、これによって、流量を調整することができる。
【０１６３】
給湯熱交換器５２内にスケールが付着、成長する要因としては、貯湯槽５７に貯留する温度（加熱温度）がある。加熱温度が高い方がスケールの生成と成長が大きい。
【０１６４】
そこで、温度検出手段６６によって加熱温度を検出し、加熱装置５５への流入する湯水
に含まれるスケール抑制剤６７の濃度が、加熱温度に対するスケールの生成と成長が抑制されるような濃度となるように、加熱温度に基づいて分岐流量の比率を設定すればよい。このとき、スケールの生成と成長がない湯水のスケール抑制剤６７の濃度と、加熱温度との関係を事前に求めておき、この関係をリモコン７２に記憶させるようにしても良い。
【０１６５】
なお、分岐流量の比率は流量調節装置６９を調節することで行うが、必要な流量は循環ポンプ６３の回転数を調整することで得ることができる。
【０１６６】
このように、加熱温度に応じて、流量調節装置６９を一つ使用するだけで、スケールの生成を抑制することが可能なスケール抑制剤６７の濃度を設定できるので、給湯装置の運転条件に応じて、加熱装置５５へ流入する水のスケール抑制剤６７の濃度を適切に調整することができる。よって、スケールの析出および付着を長期にわたって防止する信頼性に優れた給湯装置を提供することができ、スケール抑制剤６７の寿命が長くなり、その交換や補充などのメンテナンスや維持コストを低減することができるという効果がある。
【０１６７】
なお、貯湯槽５７に貯留される温度（加熱温度）は、一般的に、６５〜９０℃程度である。そして、加熱温度が高い方が、スケールの生成と成長が大きいが、加熱温度が６５℃前後であれば、スケールの生成は小さく、成長もほとんど無い。
【０１６８】
よって、このような加熱温度条件に相当する加熱流量のとき、スケール抑制剤６７の濃度を最小にするように、制御装置７０が流量調節装置６９を調整する構成とすればよい。すなわち、流量調節装置６９の流路抵抗を最小（流量調節装置６９の流体が通過する流路断面積を最大）になるように制御する。
【０１６９】
次に、スケール抑制装置６８側に分岐して流れる流量（分岐流量）の比率を変更した場合のスケール抑制剤６７の交換報知に用いるスケール抑制装置内を流れる水の量の積算方法について説明する。
【０１７０】
次にスケール抑制剤６７のメンテナンスの必要性をリモコン７２に表示する方法に関して説明する。
【０１７１】
スケール抑制装置６８を流れる水の流量は、スケール抑制装置６８と循環ポンプ６３との間の入水管路６４に配置された流量検出装置（流量センサ）７３によって検出される。なお、流量センサ７３は、水の流れ方向に対してスケール抑制装置６８の上流側のバイパス回路７４に配置されていても良い。
【０１７２】
制御装置７０は、流量検出装置７３によって計測された水の流量を積算する。制御装置７０は、積算された水の流量（積算流量）があらかじめ決められた所定値を越えると、スケール抑制剤６７の残量が少なくなったと判断し、リモコン７２にスケール抑制装置６８のメンテナンスの必要があることを表示する。
【０１７３】
また、リモコン７２には、積算流量のリセットを行うスイッチ（図示せず）を有している。スケール抑制剤６７の充填、または、スケール抑制装置６８の交換などのメンテナンスが行われると、リモコン７２にて積算流量のリセットを行うとともに、リモコン７２に表示された交換報知の表示７２ａを消す。
【０１７４】
このように、制御装置７０は、スケール抑制装置６８を流れる水の流量を流量検出装置７３によって検出して、流量の積算値（積算流量）を算出する。制御装置７０は、流量調節装置６９によって調整されたバイパス回路７４に流れる分岐流量の比率と、積算流量とから、スケール抑制装置６８に流れた水の量を算出する。
制御装置７０は、スケール抑制装置６８に流れる流量とスケール抑制剤６７の消費量との関係から、スケール抑制剤６７の消費量およびスケール抑制剤６７の残量を推定する。これにより、スケール抑制剤６７の消費量が的確に推定される。
【０１７５】
また、制御装置７０は、スケール抑制剤６７補充やスケール抑制装置６８の交換などのメンテナンスの必要性を、リモコン７２に表示する。これにより、スケール抑制剤６７が枯渇して、スケールの析出による熱交換効率の低下や、スケールによる配管の閉塞が生じる前に、メンテナンスを行うことができる。また、スケール抑制剤６７が多く残った状態で、メンテナンスを行うことを防止することができる。よって、メンテナンスの回数が増大して維持コストが増大することを防止する。
【０１７６】
また、制御装置７０は、加熱運転を実行中にスケールの析出がほぼ生じない加熱温度が６５℃前後の場合には、流量調節装置６９によって接続部Ａと接続部Ｂとの間の流路抵抗を調整することで、スケール抑制装置６８側に流れる水の流量を低減させる。これにより、スケール抑制剤６７の消費を抑制することができる。また、スケールの生成がない凍結予防運転時には、制御装置７０は、スケール抑制装置６８に流れる水の流量を最小にしてかつ、加熱運転と比較して循環ポンプ６３の回転数も低くすることで、スケール抑制剤６７の消費をさらに抑制する。
【０１７７】
よって、制御装置７０は、加熱運転と比べ、スケール抑制剤６８を流れる水の流量が小さく、スケール抑制剤６７の消費量が少ない凍結予防運転を実行するとき、積算される水の流量が少なくなるように、補正係数（例えば０．２）を掛けて、積算流量の計算を行う。さらに、制御装置７０は、加熱運転を実行している際の加熱温度によって、水の流量に補正係数を掛けたうえで積算する。例えば、制御装置７０は、加熱温度が６５℃の加熱運転を実行している場合には補正係数を０．４とする。
【０１７８】
これにより、制御装置７０は、スケール抑制装置６８に流れる水の流量が大きい加熱運転を実行した場合と、スケール抑制装置６８に流れる水の流量が小さい凍結予防運転を実行した場合とで、水の流量が大きい加熱運転を多く実行した場合の方が、より早く、スケール抑制装置６８のメンテナンスの必要性を判断し、リモコン７２にスケール抑制装置６８のメンテナンスの必要性を表示する。
【０１７９】
また、制御装置７０は、バイパス回路に流れる流量が大きい運転を多く実行した場合の方が、バイパス回路７４に流れる流量が小さい運転を多く実行した場合よりも、より早く、スケール抑制装置６８のメンテナンスが必要であると判断し、リモコン７２にスケール抑制装置６８のメンテナンスの必要性を表示する。
【０１８０】
なお、加熱運転時にも入水温度や加熱温度によって循環ポンプ６３の回転数は異なり、スケール抑制装置６８を流れる水の量が変化する。よって、給湯装置５０の運転中における入水温度や加熱温度によって、スケール抑制剤６７の消費量は異なる。したがって、制御装置７０は、給湯装置５０の運転中における入水温度や加熱温度によって様々な補正係数を掛けて、積算流量の計算を行ってもよい。これにより、スケール抑制装置６８の消費量をより精度よく推定することができる。
【０１８１】
なお、本実施の形態において、スケール抑制装置６８に流入する水の流量は、流量センサによって直接的に検出されているが、他の手段を用いてもよい。例えば、流量検出装置７３として、循環ポンプ６３を使用することができる。この場合、制御装置７０は、循環ポンプ６３の回転数を検出し、あらかじめ求められた循環ポンプ６３の回転数と流量との関係から、スケール抑制装置６８へと流入する水の流量を間接的に検出する。
【０１８２】
このように、スケールの生成が小さく、成長もほとんど無いような加熱運転の場合や凍結予防運転の場合には、スケール抑制剤６７の濃度を最小に設定できるので、添加剤の寿命を長くすることができるとともに、スケール抑制剤６７を未使用で多く余らせることのない適切なタイミングで、スケール抑制剤６７の交換報知を行うことができるため、その交換や補充などのメンテナンスや維持コストを小さくできるという効果がある。
【０１８３】
（実施の形態５）
図１４は、本発明の実施の形態５における給湯装置の構成図である。本実施の形態において、他の実施の形態と同一部分については同一符号を付し、その詳細な説明は省略する。
【０１８４】
図１４に示すように、２つの出口側流路の断面積を変えることによって、２つの出口側流路に流れる流量を調節できる流量調節装置６９（三方弁）を接続部Ａに設ける。すなわち、入口側は貯湯槽５７側の入水管路６４に接続し、２つの出口側の一方は加熱装置５５側の入水管路６４側に、他方はバイパス回路７４側に接続する。制御装置７０は、それぞれの出口側の流量が必要な分流比率となるように、流量調節装置６９の動作を制御する。
【０１８５】
流量調節装置６９としては、例えば、給湯装置で一般に使用されている混合弁を用いることができ、ステッピングモータを駆動させることによって、流体が通過する出口側の流路断面積を変えることによって流量を変更するものである。
【０１８６】
以上のように構成された給湯装置について、以下にその動作、作用を説明する。
【０１８７】
図１４に示す給湯装置において、接続部Ｂの下流における水のスケール抑制剤６７の濃度を所定の濃度に変更する場合、流量調節装置６９の流路抵抗を変更（例えば、流路断面積を変更）する。これにより、バイパス回路７４側（スケール抑制装置６８側）に分岐して流れる流量（分岐流量）と入水管路６４を流れる流量（分岐流量）の比率を変更することができる。すなわち、流量調節装置６９によって、入水管路６４を流れる流量とバイパス回路７４を流れる流量の双方を適宜調整する。
【０１８８】
給湯熱交換器５２内にスケールが付着、成長する要因としては、貯湯槽５７に貯留する温度（加熱温度）がある。加熱温度が高い方がスケールの生成と成長が大きい。
【０１８９】
そこで、温度検出手段６６によって加熱温度を検出し、加熱装置５５への流入する湯水に含まれるスケール抑制剤６７の濃度が、スケールの生成と成長が抑制される濃度となるように、流量調節装置６９によって、加熱温度に基づいて分岐流量の比率を設定すればよい。このとき、スケールの生成と成長が抑制することが可能な水のスケール抑制剤６７の濃度と、加熱温度との関係を事前に求めておき、この関係をリモコン７２に記憶させるようにしても良い。
【０１９０】
また、スケールの生成が全くない凍結予防運転時にはバイパス回路７４側（スケール抑制装置６８側）に分岐して流れる流量（分岐流量）が全閉となるように流量調節装置６９を動作させ、スケール抑制装置６８側に流れる流量を０にすることでスケール抑制剤６７の消費をなくすこともできる。
【０１９１】
なお、分岐流量の比率は流量調節装置６９を調節することで行うが、必要な流量は循環ポンプ６３の回転数を調整することで得ることができる。
【０１９２】
次にスケール抑制剤６７のメンテナンスの必要性をリモコン７２に表示する方法に関して説明する。
【０１９３】
スケール抑制装置６８を流れる水の流量は、スケール抑制装置６８と循環ポンプ６３との間の入水管路６４に配置された流量検出装置（流量センサ）７３によって検出される。なお、流量センサ７３は、水の流れ方向に対してスケール抑制装置６８の上流側のバイパス回路７４に配置されていても良い。
【０１９４】
制御装置７０は、流量検出装置７３によって計測された水の流量を積算する。制御装置７０は、積算された水の流量（積算流量）があらかじめ決められた所定値を越えると、スケール抑制剤６７の残量が少なくなった、または、枯渇したと判断し、リモコン７２にスケール抑制装置６８のメンテナンスの必要があることを表示する。
【０１９５】
また、リモコン７２は、積算流量のリセットを行うスイッチ（図示せず）を有している。スケール抑制剤６７の充填、または、スケール抑制装置６８の交換などのメンテナンスが行われると、リモコン７２で積算流量のリセットを行い、リモコン７２に表示されたスケール抑制剤６７のメンテナンスの必要性に関する表示部７２ａを消す。
【０１９６】
このように、制御装置７０は、スケール抑制装置６８を流れる水の流量を流量検出装置７３によって検出して、流量の積算値（積算流量）を算出する。制御装置７０は、流量調節装置６９によって調整されたバイパス回路７４に流れる分岐流量の比率と、積算流量とから、スケール抑制装置６８に流れた水の量を算出する。制御装置７０は、スケール抑制装置６８に流れる流量とスケール抑制剤６７の消費量との関係から、スケール抑制剤６７の消費量およびスケール抑制剤６７の残量を推定する。これにより、スケール抑制剤６７の消費量が的確に推定される。
【０１９７】
また、制御装置７０は、スケール抑制剤６７補充やスケール抑制装置６８の交換などのメンテナンスの必要性を、リモコン７２に表示する。これにより、スケール抑制剤６７が枯渇して、スケールの析出による熱交換効率の低下や、スケールによる配管の閉塞が生じる前に、メンテナンスを行うことができる。また、スケール抑制剤６７が多く残った状態で、メンテナンスを行うことを防止することができる。よって、メンテナンスの回数が増大して維持コストが増大することを防止する。
【０１９８】
また、本実施の形態では、スケールの析出がほぼ生じない加熱温度が６５℃前後の場合には、制御装置７０は、流量調節装置６９によって、バイパス回路７４に流れる水の流量を調整して、スケール抑制装置６８側に流れる水の流量を減少させる。これにより、スケール抑制剤６７の消費を抑制することができる。また、制御装置７０は、スケールの生成が全くない凍結予防運転を実行中には、スケール抑制装置６８に流れる水の流量を０とすることで、スケール抑制剤６７を消費しないようにする。
【０１９９】
よって、制御装置７０は、スケール抑制剤６８に水が流入しない凍結予防運転では、積算される水の流量が０となるように、補正係数を０として、積算流量の計算を行う。さらに、制御装置７０は、加熱運転を実行している際の加熱温度によって、水の流量に補正係数を掛けたうえで積算する。例えば、制御装置７０は、加熱温度が６５℃の加熱運転を実行している場合には補正係数を０．４とする。
【０２００】
これにより、制御装置７０は、スケール抑制装置６８に流れる水の流量が大きい加熱運転を実行した場合と、スケール抑制装置６８に水が流れない凍結予防運転を実行した場合とで、水の流量が大きい加熱運転を多く実行した場合の方が、より早く、スケール抑制装置６８のメンテナンスの必要性を、リモコン７２に表示する。
【０２０１】
また、制御装置７０は、バイパス回路に流れる流量が大きい運転を多く実行した場合の
方が、バイパス回路７４に流れる流量が小さい運転を多く実行した場合よりも、より早く、スケール抑制装置６８のメンテナンスが必要であると判断し、リモコン７２にスケール抑制装置６８のメンテナンスの必要性を表示する。
【０２０２】
なお、加熱運転時にも入水温度や加熱温度によって循環ポンプ６３の回転数は異なり、スケール抑制装置６８を流れる水の量が変化する。よって、給湯装置５０の運転中における入水温度や加熱温度によって、スケール抑制剤６７の消費量は異なる。したがって、制御装置７０は、給湯装置５０の運転中における入水温度や加熱温度によって様々な補正係数を掛けて、積算流量の計算を行ってもよい。これにより、スケール抑制装置６８の消費量をより精度よく推定することができる。
【０２０３】
なお、本実施の形態において、スケール抑制装置６８に流入する水の流量は、流量センサによって直接的に検出されているが、他の手段を用いてもよい。例えば、流量検出装置７３として、循環ポンプ６３を使用することができる。この場合、制御装置７０は、循環ポンプ６３の回転数を検出し、あらかじめ求められた循環ポンプ６３の回転数と流量との関係から、スケール抑制装置６８へと流入する水の流量を間接的に検出する。
【産業上の利用可能性】
【０２０４】
以上のように、本発明にかかる給湯装置は、使用者に対して、適切な時期にスケール抑制剤のメンテナンスの必要性を通知して給湯装置の信頼性を向上することができるので、家庭用や業務用の給湯装置に適用することができる。
【符号の説明】
【０２０５】
５０  給湯装置
５５  加熱装置
５７  貯湯槽
６３  循環ポンプ
６４  入水管路
６５  出湯管路
６７  スケール抑制剤
６８  スケール抑制装置
６９  流量調節装置
７０  制御装置
７２  リモコン（報知装置）
７３  流量検出装置
７４  バイパス回路
【図１】
2014200696.tif 000009
【図２】
2014200696.tif 000010
【図３】
2014200696.tif 000011
【図４】
2014200696.tif 000012
【図５】
2014200696.tif 000013
【図６】
2014200696.tif 000014
【図７】
2014200696.tif 000015
【図８】
2014200696.tif 000016
【図９】
2014200696.tif 000017
【図１０】
2014200696.tif 000018
【図１１】
2014200696.tif 000019
【図１２】
2014200696.tif 000020
【図１３】
2014200696.tif 000021
【図１４】
2014200696.tif 000022
【図１５】
2014200696.tif 000023